(57)【要約】【課題】メンテナンス性に優れ、コンパクトで安価な吸引機付きホッパを提供することである。【解決手段】ホッパ１の投入口に、ばら状の輸送物を吸引輸送する回転式吸引機２と、輸送物を輸送空気と分離する回転式セパレータ３とを並べて配設し、これらをモータ４により同一の回転軸５で回転駆動することにより、回転式セパレータ３用の別途の回転駆動装置を不要にするとともに、高さ寸法の低い設計を可能とし、メンテナンス性に優れ、コンパクトで安価な吸引機付きホッパを提供できるようにした。【選択図】図１
2006131392.tif 000002
【特許請求の範囲】
【請求項１】
空気輸送される輸送物が投入され、輸送空気をセパレータで分離するようにしたホッパにおいて、前記ホッパの投入口に、前記輸送物を吸引輸送する回転式吸引機を設け、前記セパレータを回転式セパレータとして前記回転式吸引機と並べて配設し、これらの回転式吸引機と回転式セパレータとを同一軸で回転駆動するようにしたことを特徴とする吸引機付きホッパ。
【発明の詳細な説明】
【技術分野】
【０００１】
本発明は、空気輸送されるばら状の輸送物が投入され、輸送空気をセパレータで分離するようにしたホッパに関するものである。ばら状の輸送物としては、刈草、穀物、各種粉粒体等が挙げられる。
【背景技術】
【０００２】
空気輸送されるばら状の輸送物が投入され、輸送空気をセパレータで分離するようにしたホッパとしては、セパレータにバグフィルタを用いたもの（例えば、特許文献１参照。）や、サイクロンを用いたもの（例えば、特許文献２参照。）がある。この他にも、セパレータとしては固定スクリーンや回転式セパレータ等を用いることが考えられる。
【０００３】
これらのセパレータには、それぞれ長所短所があり、バグフィルタやサイクロンは高さ寸法が大きくなるので、コンパクトな設計を要求されるものには不向きである。固定スクリーンは、コンパクトな設計が可能であるが、目詰まりを生じやすいのでメンテナンスに手間がかかる。また、回転式セパレータは、バグフィルタやサイクロンよりもコンパクトな設計が可能で目詰まりも生じ難いが、回転駆動装置を別途に必要とする。
【０００４】
一方、輸送空気流の発生手段としては、コンプレッサ等で圧縮空気を供給する手段と、吸引機で吸引空気流を発生させる手段とがあるが、吸引機を用いる方が安価でコンパクトな設計が可能である。
【０００５】
【特許文献１】特開平６−２７８８６６号公報（第２頁、第１−２図）
【特許文献２】特開平９−２０６６９３号公報（第２−４頁、第１−３図）
【発明の開示】
【発明が解決しようとする課題】
【０００６】
そこで、本発明の課題は、メンテナンス性に優れ、コンパクトで安価な吸引機付きホッパを提供することである。
【課題を解決するための手段】
【０００７】
上記の課題を解決するために、本発明は、空気輸送される輸送物が投入され、輸送空気をセパレータで分離するようにしたホッパにおいて、前記ホッパの投入口に、前記輸送物を吸引輸送する回転式吸引機を設け、前記セパレータを回転式セパレータとして前記回転式吸引機と並べて配設し、これらの回転式吸引機と回転式セパレータとを同一軸で回転駆動する構成を採用した。
【０００８】
すなわち、輸送空気流の発生手段として回転式吸引機を用い、セパレータを回転式セパレータとしてこの回転式吸引機と並べて配設し、これらの回転式吸引機と回転式セパレータとを同一軸で回転駆動することにより、回転式セパレータ用の別途の回転駆動装置を不要にするとともに、高さ寸法の低い設計を可能とし、コンパクトで安価な吸引機付きホッパを提供できるようにした。この吸引機付きホッパは、回転式セパレータが目詰まりし難く、かつ、回転駆動部も１つだけであるので、メンテナンス性も優れている。
【発明の効果】
【０００９】
本発明の吸引機付きホッパは、輸送空気流の発生手段として回転式吸引機を用いるとともに、セパレータを回転式セパレータとして回転式吸引機と並べて配設し、これらの回転式吸引機と回転式セパレータとを同一軸で回転駆動するようにしたので、回転式セパレータ用の別途の回転駆動装置が不要であり、メンテナンス性が優れ、かつ、コンパクトで安価な設計とすることができる。
【発明を実施するための最良の形態】
【００１０】
以下、図１乃至図７に基づき、本発明の実施形態を説明する。図１乃至図６は、第１の実施形態を示す。この吸引機付きホッパは、図１および図２に示すように、ホッパ１の投入口に、ばら状の輸送物を吸引輸送する回転式吸引機２と、輸送物を輸送空気と分離する回転式セパレータ３とを並べて配設し、これらをモータ４により同一の回転軸５で回転駆動するようにしたものである。
【００１１】
前記回転式吸引機２は、輸送物を輸送空気と一緒に吸引する吸引口６ａを有し、下方がホッパ１の投入口に開口するケーシング６に、回転軸５で回転する羽根車７を組み込んだものである。図３に示すように、羽根車７はリング７ａの外周に等間隔で複数の羽根７ｂを取り付け、その軸方向両端を円板７ｃで固定したものである。
【００１２】
前記回転式セパレータ３は、分離した輸送空気を排出する排風口８ａを側部に有し、図４に示すように、下方がホッパ１の投入口に開口するケーシング８に、回転軸５で回転する回転スクリーン９を組み込んだものである。回転スクリーン９は回転軸５の先端に円板９ａを取り付け、この円板９ａに円筒状スクリーン９ｂを固定したものであり、円筒状スクリーン９ｂの一端は、円形の排風口８ａに連通している。
【００１３】
図５（ａ）、（ｂ）、（ｃ）は、前記円筒状スクリーン９ｂの例を示す。（ａ）は円筒状の金網を用いたもの、（ｂ）はパイプに多数の小孔を形成したもの、（ｃ）はパイプに複数のスリットを形成したものである。
【００１４】
図６は、上述した吸引機付きホッパを、車両Ａに車載された刈草の圧縮成形装置用のホッパ１に採用した例を示す。この刈草の圧縮成形装置は、ホッパ１に投入される刈草を定量ずつ供給する定量供給機１０と、定量供給機１０から供給される刈草を圧縮成形する圧縮成形機１１とで基本的に構成され、圧縮成形機１１のノズル１１ａから押し出される棒状の圧縮成形物がカッタ１２で定寸に切断されるようになっている。車両Ａには、発電機や制御盤等の付帯設備１３も搭載されている。本発明に係る吸引機付きホッパは、高さ寸法をコンパクトに設計できるので、このような車載式の装置にも好適に採用することができる。
【００１５】
前記吸引機付きホッパの回転式吸引機２の吸引口６ａにはホース１４が接続され、野積みされた刈草がこのホース１４から空気と一緒に吸引される。この吸引でホース１４から空気輸送された刈草は、回転式セパレータ３で輸送空気と分離されてホッパ１内に落下し、輸送空気は排風口８ａから排出される。したがって、この吸引機付きホッパを採用した車載式の刈草圧縮成形装置は、ホース１４の先端を野積みされた刈草の位置に移動させるのみで、各所に野積みされた刈草を簡単にホッパ１へ投入することができる。
【００１６】
図７は、第２の実施形態を示す。この吸引機付きホッパは、基本的な構成は第１の実施形態のものと同じであり、回転式セパレータ３が、前記回転スクリーン９の替りに、分級羽根車１５を備えている点のみが異なる。この分級羽根車１５は、回転軸５の先端に取り付けられた円板１５ａに、円周方向等間隔で分級羽根１５ｂの一端を取り付け、その排風口８ａ側の他端を環状円板１５ｃで固定したものである。したがって、この回転式セパレータ３は、輸送物を輸送空気と分離するとともに、その細かさのサイズで分級することができる。
【図面の簡単な説明】
【００１７】
【図１】第１の実施形態の吸引機付きホッパを示す縦断面図
【図２】図１の平面図
【図３】図１のIII−III線に沿った断面図
【図４】図１のIV−IV線に沿った断面図
【図５】ａ、ｂ、ｃは、それぞれ図１の円筒状スクリーンの例を示す斜視図
【図６】図１の吸引機付きホッパを採用した車載式の刈草圧縮成形装置を示す切欠き縦断面図
【図７】第２の実施形態の吸引機付きホッパを示す縦断面図
【符号の説明】
【００１８】
１  ホッパ
２  回転式吸引機
３  回転式セパレータ
４  モータ
５  回転軸
６  ケーシング
６ａ  吸引口
７  羽根車
７ａ  リング
７ｂ  羽根
７ｃ  円板
８  ケーシング
８ａ  排風口
９  回転スクリーン
９ａ  円板
９ｂ  円筒状スクリーン
１０  定量供給機
１１  圧縮成形機
１１ａ  ノズル
１２  カッタ
１３  付帯設備
１４  ホース
１５  分級羽根車
１５ａ  円板
１５ｂ  分級羽根
１５ｃ  環状円板
【図１】
2006131392.tif 000003
【図２】
2006131392.tif 000004
【図３】
2006131392.tif 000005
【図４】
2006131392.tif 000006
【図５】
2006131392.tif 000007
【図６】
2006131392.tif 000008
【図７】
2006131392.tif 000009